(57)【要約】【課題】楽曲開始の検出精度を向上させることができる録音装置を提供する。【解決手段】音声信号から所定帯域を抽出するフィルタ部（バンドパスフィルタ部１０）と、前記フィルタ部から出力される前記所定帯域の音声信号に対応する前記所定帯域の音声パワーの平均値を算出するパワー算出部（パワー算出部１０）と、前記パワー算出部によって算出された前記所定帯域の音声パワーの平均値に基づいて、楽曲の開始を検出する楽曲開始検出部（楽曲開始終了検出部１２）とを備え、前記フィルタ部を通過していない音声信号を記録媒体（ＩＣメモリ５）に録音する録音部（記録再生部４）とを備える録音装置。【選択図】図１
2011150060.tif 000002
【特許請求の範囲】
【請求項１】
音声信号から所定帯域を抽出するフィルタ部と、
前記フィルタ部から出力される前記所定帯域の音声信号に対応する前記所定帯域の音声パワーの平均値を算出するパワー算出部と、
前記パワー算出部によって算出された前記所定帯域の音声パワーの平均値に基づいて、楽曲の開始を検出する楽曲開始検出部と、
前記フィルタ部を通過していない音声信号を記録媒体に録音する録音部とを備えることを特徴とする録音装置。
【請求項２】
前記所定帯域が変更可能である請求項１に記載の録音装置。
【請求項３】
前記楽曲開始検出部が楽曲の開始を検出したときに、前記録音部が自動的に録音を開始又は再開する請求項１または請求項２に記載の録音装置。
【請求項４】
前記録音部が、
前記楽曲開始検出部によって検出された楽曲の開始の位置を示す楽曲開始インデックスを、前記記録媒体に録音する音声信号に関連付けて前記記録媒体に記録する請求項１または請求項２に記載の録音装置。
【請求項５】
前記楽曲開始検出部が、前記パワー算出部によって算出された前記所定帯域の音声パワーの平均値が閾値以上になったときに、楽曲が開始されたと判定する請求項１〜４のいずれか１項に記載の録音装置。
【請求項６】
前記楽曲開始検出部が、前記パワー算出部によって算出された前記所定帯域の音声パワーの平均値が所定時間の間閾値以上であれば、その所定時間の開始時点を楽曲の開始位置とする請求項１〜４のいずれか１項に記載の録音装置。
【発明の詳細な説明】
【技術分野】
【０００１】
本発明は、音声信号を録音する録音装置に関する。
【背景技術】
【０００２】
ＩＣレコーダ等の録音装置は、例えば、インタビューや会話等の録音、会議等の録音、講義等の録音、楽曲や楽器伴奏のない声楽等の録音に利用される。なお、本明細書において、「楽曲」とは、楽器の演奏があるものを意味する。
【０００３】
従来の録音装置には、マイクロホン等によって得られた音声信号を解析し、音声信号のレベルが予め設定された閾値以上になったときに自動的に録音を開始し、音声信号のレベルが予め設定された閾値を下回ると録音が自動的に停止する自動録音機能を搭載したものがある。
【先行技術文献】
【特許文献】
【０００４】
【特許文献１】特開２００６−２７７８５５号公報（段落００２５）
【特許文献２】特開平１０−１１６０９９号公報（要約、段落００４１）
【発明の概要】
【発明が解決しようとする課題】
【０００５】
上記の自動録音機能を搭載した従来の録音装置は、音声信号全体のレベルのみで自動録音の開始タイミングを判断しているため、ノイズ（例えば屋外における風の音など）によって誤って自動録音を開始してしまうおそれがあり、楽曲の自動録音に不向きであった。
【０００６】
なお、特許文献１では、放送の音声信号から音楽部分を抽出して録音する録音装置が開示されている。そして、特許文献１では、音楽の開始位置を抽出する方法として、音量レベルが所定レベル以下の状態が一定時間継続している箇所を音楽の開始位置として抽出する方法のみが例示されている。このような音楽の開始位置抽出方法は、例えば、屋外において風の音が発生している状況下で実演されている楽曲を自動録音することができないという問題を有している。
【０００７】
また、特許文献２では、音声入力感度に応じてデジタル信号処理部内のバンドパスフィルタのフィルタ特性を可変し、当該デジタル信号処理部に入力する音声信号の周波数帯域を制限する音声起動録音装置が開示されている。特許文献２で開示されている音声起動録音装置は、デジタル信号処理部によってデジタル信号に圧縮した音声データを半導体メモリ部に記録するので、音声入力感度に応じて帯域制限された音声データを記録することになり、楽曲を自動録音する場合に楽曲本来の音を記録することができないという問題を有している。
【０００８】
本発明は、上記の状況に鑑み、楽曲開始の検出精度を向上させることができる録音装置を提供することを目的とする。
【課題を解決するための手段】
【０００９】
上記目的を達成するために本発明に係る録音装置は、音声信号から所定帯域を抽出するフィルタ部と、前記フィルタ部から出力される前記所定帯域の音声信号に対応する前記所定帯域の音声パワーの平均値を算出するパワー算出部と、前記パワー算出部によって算出された前記所定帯域の音声パワーの平均値に基づいて、楽曲の開始を検出する楽曲開始検出部と、前記フィルタ部を通過していない音声信号を記録媒体に録音する録音部とを備える構成（第１の構成）とする。
【００１０】
また、上記第１の構成の録音装置において、前記所定帯域が変更可能である構成（第２の構成）としてもよい。
【００１１】
また、上記第１の構成または第２の構成の録音装置において、前記楽曲開始検出部が楽曲の開始を検出したときに、前記録音部が自動的に録音を開始又は再開する構成（第３の構成）にしてもよい。
【００１２】
また、上記第１の構成または第２の構成の録音装置において、前記録音部が、前記楽曲開始検出部によって検出された楽曲の開始の位置を示す楽曲開始インデックスを、前記記録媒体に録音する音声信号に関連付けて前記記録媒体に記録する構成（第４の構成）にしてもよい。
【００１３】
また、上記第１〜第４のいずれかの構成の録音装置において、前記楽曲開始検出部が、前記パワー算出部によって算出された前記所定帯域の音声パワーの平均値が閾値以上になったときに、楽曲が開始されたと判定するようにしてもよい。
【００１４】
また、上記第１〜第４のいずれかの構成の録音装置において、前記楽曲開始検出部が、前記パワー算出部によって算出された前記所定帯域の音声パワーの平均値が所定時間の間閾値以上であれば、その所定時間の開始時点を楽曲の開始位置とするようにしてもよい。
【発明の効果】
【００１５】
本発明に係る録音装置によると、音声信号から所定帯域を抽出するフィルタ部と、前記フィルタ部から出力される前記所定帯域の音声信号に対応する前記所定帯域の音声パワーの平均値を算出するパワー算出部と、前記パワー算出部によって算出された前記所定帯域の音声パワーの平均値に基づいて、楽曲の開始を検出する楽曲開始検出部とを備えるので、前記所定帯域をノイズが小さく、楽曲の出力が大きい周波数帯域に設定することで、ノイズによって楽曲開始が誤検出されなくなり、楽曲開始の検出精度を向上させることができる。
【００１６】
また、本発明に係る録音装置によると、前記フィルタ部を通過していない音声信号を記録媒体に録音する録音部を備えるので、楽曲本来の音を録音することができるという利点を有している。
【図面の簡単な説明】
【００１７】
【図１】本発明の第１，３，４実施形態に係る録音装置の構成を示すブロック図である。
【図２】楽曲の自動録音モードに設定されている場合の本発明の第１実施形態に係る録音装置の録音動作を示すフローチャートである。
【図３】音声波形及び音声パワーの平均値のタイムチャートである。
【図４】本発明の第２実施形態に係る録音装置の構成を示すブロック図である。
【図５】楽曲の自動録音モードに設定されている場合の本発明の第２実施形態に係る録音装置の録音動作を示すフローチャートである。
【図６】音声波形及び音声パワーの平均値のタイムチャートである。
【図７】楽曲検出モードに設定されている場合の本発明の第３実施形態に係る録音装置の録音動作を示すフローチャートである。
【図８】音声波形及び音声パワーの平均値のタイムチャートである。
【図９】楽曲検出モードに設定されている場合の本発明の第４実施形態に係る録音装置の録音動作を示すフローチャートである。
【図１０】音声波形及び音声パワーの平均値のタイムチャートである。
【図１１】本発明に係る録音装置が備えるＣＰＵの一変形例を示す図である。
【図１２】本発明に係る録音装置が備えるＣＰＵの他の変形例を示す図である。
【発明を実施するための形態】
【００１８】
本発明の実施形態について図面を参照して以下に説明する。
【００１９】
＜第１実施形態＞
本発明の第１実施形態に係る録音装置の構成を図１に示す。図１に示す本発明の第１実施形態に係る録音装置は、ＩＣレコーダであって、マイクロホン１と、増幅部２と、Ａ／Ｄ変換部３と、記録再生部４と、ＩＣメモリ５と、Ｄ／Ａ変換部６と、増幅部７と、スピーカ８と、ＣＰＵ９と、操作部１３と、表示部１４とを備えている。
【００２０】
ＣＰＵ９は、録音装置内全体の駆動動作を制御している。また、ＣＰＵ９は、バンドパスフィルタ部１０と、パワー算出部１１と、楽曲開始終了検出部１２とを有している。
【００２１】
マイクロホン１は、集音した音声を電気信号である音声信号に変換する。増幅部２は、マイクロホン１から出力される音声信号を増幅する。Ａ／Ｄ変換部３は、増幅部２から出力されるアナログ信号をデジタル信号に変換する。Ａ／Ｄ変換部３から出力されるデジタル音声信号は、記録再生部４とＣＰＵ９とに供給される。
【００２２】
記録再生部４は、ＣＰＵ９からの指示に従って、記録処理（録音処理）や再生処理を実行する。記録再生部４は、記録処理実行時において、Ａ／Ｄ変換部３から出力されるデジタル音声信号に対して圧縮符号化処理を施し、その結果得られる圧縮符号化信号をＩＣメモリ５に記録する。また、記録再生部４は、再生処理実行時において、ＩＣメモリ５から読み出した圧縮符号化信号を伸長して復号し、その結果得られるデジタル音声信号をＤ／Ａ変換部６に出力する。
【００２３】
Ｄ／Ａ変換部６は、記録再生部４から出力されるデジタル信号をアナログ信号に変換する。増幅部７は、Ｄ／Ａ変換部６から出力されるアナログ音声信号を増幅する。スピーカ８は、増幅部７から出力される増幅されたアナログ音声信号に基づいて音声を再生出力する。
【００２４】
操作部１３は、ユーザの操作内容に応じた操作信号をＣＰＵ９に出力する。ＣＵＰ９は、操作部１３から出力される操作信号に基づいて、録音動作、再生動作等の各種動作に関する制御や各種設定を行う。
【００２５】
表示部１４は、ＣＰＵ９からの指示に従って、動作状態や各種設定の状態などを表示する。
【００２６】
次に、楽曲の自動録音モードに設定されている場合の図１に示す本発明の第１実施形態に係る録音装置の録音動作について、図１及び図２を参照して説明する。図２は、楽曲の自動録音モードに設定されている場合の図１に示す本発明の第１実施形態に係る録音装置の録音動作を示すフローチャートである。
【００２７】
まず始めに、ＣＰＵ９は、操作部１３から出力される操作信号を確認して、操作部１３の録音キーが押圧されたか否かを判定し（ステップＳ１０）、録音キーが押圧されたと判定すると（ステップＳ１０のＹＥＳ）、ステップＳ２０に移行する。
【００２８】
ステップＳ２０において、ＣＰＵ９は楽曲の開始を検出する。具体的には、バンドパスフィルタ部１０が、Ａ／Ｄ変換部３から出力されるデジタル音声信号から所定帯域を抽出し、パワー算出部１１が、バンドパスフィルタ部１０から出力される所定帯域のデジタル音声信号に対応する所定帯域の音声パワーの平均値を算出し、楽曲開始終了検出部１２が、パワー算出部１１によって算出された所定帯域の音声パワーの平均値が予め設定された閾値以上であるか否かを判定し、所定帯域の音声パワーの平均値が閾値以上であれば楽曲が開始されたと判定する。
【００２９】
所定帯域の音声パワーの平均値が閾値以上であれば（ステップＳ２０のＹＥＳ）、楽曲開始終了検出部１２は、記録再生部４に対して録音開始又は録音再開の指示を出し、その後ステップＳ６０に移行する。
【００３０】
一方、所定帯域の音声パワーの平均値が閾値以上でなければ（ステップＳ２０のＮＯ）、ＣＰＵ９は、操作部１３から出力される操作信号を確認して、操作部１３の停止キーが押圧されたか否かを判定し（ステップＳ４０）、停止キーが押圧されていないと判定すると（ステップＳ４０のＮＯ）、ステップＳ２０に戻り、停止キーが押圧されたと判定すると（ステップＳ４０のＹＥＳ）、録音待機状態を解除し（ステップＳ５０）、その後ステップＳ１０に戻る。
【００３１】
ステップＳ６０において、ＣＰＵ９は楽曲の終了を検出する。具体的には、バンドパスフィルタ部１０が、Ａ／Ｄ変換部３から出力されるデジタル音声信号から所定帯域を抽出し、パワー算出部１１が、バンドパスフィルタ部１０から出力される所定帯域のデジタル音声信号に対応する所定帯域の音声パワーの平均値を算出し、楽曲開始終了検出部１２が、パワー算出部１１によって算出された所定帯域の音声パワーの平均値が所定時間の間予め設定された閾値以下であるか否かを判定し、所定帯域の音声パワーの平均値が所定時間の間閾値以下であればその所定時間の開始時点で楽曲が終了したと判定する。なお、ステップＳ２０での閾値とステップＳ６０での閾値とは同じであっても異なっていてもよいが、本実施形態では同一としている。
【００３２】
所定帯域の音声パワーの平均値が所定時間の間閾値以下であれば（ステップＳ６０のＹＥＳ）、楽曲開始終了検出部１２は、記録再生部４に対して録音保留（録音の一時停止）の指示を出し（ステップＳ７０）、その後ステップＳ２０に戻る。
【００３３】
一方、所定帯域の音声パワーの平均値が所定時間の間閾値以下でなければ（ステップＳ６０のＮＯ）、ＣＰＵ９は、操作部１３から出力される操作信号を確認して、操作部１３の停止キーが押圧されたか否かを判定し（ステップＳ８０）、停止キーが押圧されていないと判定すると（ステップＳ８０のＮＯ）、ステップＳ６０に戻り、停止キーが押圧されたと判定すると（ステップＳ８０のＹＥＳ）、録音を停止し（ステップＳ９０）、その後ステップＳ１０に戻る。
【００３４】
上記のような録音動作により楽曲開始の検出精度を向上させることができることを、図３を参照して説明する。なお、図３中のＴはステップＳ６０での所定時間を示している。ノイズが小さく、楽曲の出力が大きい周波数帯域をバンドパスフィルタ部１０が上記の所定帯域として抽出するように、バンドパスフィルタ部１０の特性を設定する。かかる設定により、図３に示すように、バンドパスフィルタ部１０から出力される所定帯域のデジタル音声信号に対応する所定帯域の音声波形ではノイズ部分の振幅が小さくなる。その結果、最初の二つのノイズ部分において、楽曲開始が誤検出されなくなり、楽曲開始の検出精度を向上させることができる。したがって、楽曲の自動録音モードにおいて、ノイズによって誤って録音が開始又は再開され、ＩＣメモリ５の容量を無駄に消費することを低減することができ、ＩＣメモリ５の使用効率を向上させることができる。
【００３５】
＜第２実施形態＞
本発明の第１実施形態に係る録音装置よりも楽曲開始の検出精度が高い本発明の第２実施形態に係る録音装置について説明する。本発明の第２実施形態に係る録音装置の構成を図４に示す。なお、図４において図１と同一の部分には同一の符号を付し詳細な説明を省略する。
【００３６】
図４に示す本発明の第２実施形態に係る録音装置は、図１に示す本発明の第１実施形態に係る録音装置にＦＩＦＯ（First-In/First-Out）メモリ１５を追加した構成である。ＦＩＦＯメモリ１５は、後述するステップＳ２５での所定時間分の音声信号を記憶することができるリングバッファであって、Ａ／Ｄ変換部３と記録再生部４との間に設けられる。Ａ／Ｄ変換部３から出力されるデジタル音声信号は、ＦＩＦＯメモリ１５とＣＰＵ９とに供給される。
【００３７】
また、図４に示す本発明の第２実施形態に係る録音装置と図１に示す本発明の第１実施形態に係る録音装置とでは、楽曲開始終了検出部１２での楽曲開始の検出手法が異なっている。
【００３８】
図５は、楽曲の自動録音モードに設定されている場合の図４に示す本発明の第２実施形態に係る録音装置の録音動作を示すフローチャートである。なお、図５において図２と同一のステップには同一の符号を付し詳細な説明を省略する。
【００３９】
図５のフローチャートは、図２のフローチャートにおいてステップＳ２０をステップＳ２５に置換したものである。
【００４０】
ステップＳ２５において、ＣＰＵ９は楽曲の開始を検出する。具体的には、バンドパスフィルタ部１０が、Ａ／Ｄ変換部３から出力されるデジタル音声信号から所定帯域を抽出し、パワー算出部１１が、バンドパスフィルタ部１０から出力される所定帯域のデジタル音声信号に対応する所定帯域の音声パワーの平均値を算出し、楽曲開始終了検出部１２が、パワー算出部１１によって算出された所定帯域の音声パワーの平均値が所定時間の間予め設定された閾値以上であるか否かを判定し、所定帯域の音声パワーの平均値が所定時間の間閾値以上であればその所定時間の開始時点で楽曲が開始されたと判定する。なお、ステップＳ２５での閾値とステップＳ６０での閾値とは同じであっても異なっていてもよいが、本実施形態では同一としている。また、ステップＳ２５での所定時間とステップＳ６０での所定時間とは同じであっても異なっていてもよいが、本実施形態ではステップＳ２５での所定時間をステップＳ６０での所定時間よりも長くしている。
【００４１】
上記のような録音動作により楽曲開始の検出精度を第１実施形態よりも向上させることができることを、図６を参照して説明する。なお、図６中のＴ１はステップＳ２５での所定時間を示しており、図６中のＴ２はステップＳ６０での所定時間を示している。ノイズが小さく、楽曲の出力が大きい周波数帯域をバンドパスフィルタ部１０が上記の所定帯域として抽出するように、バンドパスフィルタ部１０の特性を設定する。かかる設定により、図６に示すように、バンドパスフィルタ部１０から出力される所定帯域のデジタル音声信号に対応する所定帯域の音声波形ではノイズ部分の振幅が小さくなる。さらに、所定帯域の音声パワーの平均値が所定時間Ｔ１の間閾値以上である場合のみ、楽曲開始を検出する。その結果、最初の二つのノイズ部分のみならず三つ目のノイズ部分においても、楽曲開始が誤検出されなくなり、楽曲開始の検出精度を第１実施形態よりも向上させることができる。
【００４２】
＜第３実施形態＞
本発明の第３実施形態に係る録音装置について説明する。本発明の第３実施形態に係る録音装置のブロック図は、本発明の第１実施形態に係る録音装置のブロック図と同一であり、図１に示すようになる。ただし、本発明の第３実施形態に係る録音装置と本発明の第１実施形態に係る録音装置とでは、記録再生部４及びＣＰＵ９の動作が互いに異なる。
【００４３】
楽曲検出モードに設定されている場合の図１に示す本発明の第３実施形態に係る録音装置の録音動作について、図１及び図７を参照して説明する。図７は、楽曲検出モードに設定されている場合の図１に示す本発明の第３実施形態に係る録音装置の録音動作を示すフローチャートである。
【００４４】
まず始めに、ＣＰＵ９は、操作部１３から出力される操作信号を確認して、操作部１３の録音キーが押圧されたか否かを判定し（ステップＳ１１０）、録音キーが押圧されたと判定すると（ステップＳ１１０のＹＥＳ）、ステップＳ１２０に移行する。
【００４５】
ステップＳ１２０において、ＣＰＵ９は、記録再生部４に対して録音開始の指示を出し、その後ステップＳ１３０に移行する。
【００４６】
ステップＳ１３０において、ＣＰＵ９は楽曲の開始を検出する。具体的には、バンドパスフィルタ部１０が、Ａ／Ｄ変換部３から出力されるデジタル音声信号から所定帯域を抽出し、パワー算出部１１が、バンドパスフィルタ部１０から出力される所定帯域のデジタル音声信号に対応する所定帯域の音声パワーの平均値を算出し、楽曲開始終了検出部１２が、パワー算出部１１によって算出された所定帯域の音声パワーの平均値が予め設定された閾値以上であるか否かを判定し、所定帯域の音声パワーの平均値が閾値以上であれば楽曲が開始されたと判定する。
【００４７】
所定帯域の音声パワーの平均値が閾値以上であれば（ステップＳ１３０のＹＥＳ）、楽曲開始終了検出部１２は、楽曲の開始位置を示す楽曲開始インデックスを作成し（ステップＳ１４０）、その後ステップＳ１６０に移行する。楽曲開始インデックスは、例えば楽曲開始時の録音時間を構成要素に含むことで、楽曲の開始位置を示すことが可能となる。
【００４８】
一方、所定帯域の音声パワーの平均値が閾値以上でなければ（ステップＳ１３０のＮＯ）、ＣＰＵ９は、操作部１３から出力される操作信号を確認して、操作部１３の停止キーが押圧されたか否かを判定し（ステップＳ１５０）、停止キーが押圧されていないと判定すると（ステップＳ１５０のＮＯ）、ステップＳ１３０に戻り、停止キーが押圧されたと判定すると（ステップＳ１５０のＹＥＳ）、後述するステップＳ１９０に移行する。
【００４９】
ステップＳ１６０において、ＣＰＵ９は楽曲の終了を検出する。具体的には、バンドパスフィルタ部１０が、Ａ／Ｄ変換部３から出力されるデジタル音声信号から所定帯域を抽出し、パワー算出部１１が、バンドパスフィルタ部１０から出力される所定帯域のデジタル音声信号に対応する所定帯域の音声パワーの平均値を算出し、楽曲開始終了検出部１２が、パワー算出部１１によって算出された所定帯域の音声パワーの平均値が所定時間の間予め設定された閾値以下であるか否かを判定し、所定帯域の音声パワーの平均値が所定時間の間閾値以下であれば楽曲が終了したと判定する。なお、ステップＳ１３０での閾値とステップＳ１６０での閾値とは同じであっても異なっていてもよいが、本実施形態では同一としている。
【００５０】
所定帯域の音声パワーの平均値が所定時間の間閾値以下であれば（ステップＳ１６０のＹＥＳ）、楽曲開始終了検出部１２は、その所定時間の開始時点を楽曲の終了位置とし、その楽曲の終了位置を示す楽曲終了インデックスを作成し（ステップＳ１７０）、その後ステップＳ１３０に戻る。楽曲終了インデックスは、例えば楽曲終了時の録音時間を構成要素に含むことで、楽曲の終了位置を示すことが可能となる。
【００５１】
一方、所定帯域の音声パワーの平均値が所定時間の間閾値以下でなければ（ステップＳ１６０のＮＯ）、ＣＰＵ９は、操作部１３から出力される操作信号を確認して、操作部１３の停止キーが押圧されたか否かを判定し（ステップＳ１８０）、停止キーが押圧されていないと判定すると（ステップＳ１８０のＮＯ）、ステップＳ１６０に戻り、停止キーが押圧されたと判定すると（ステップＳ１８０のＹＥＳ）、ステップＳ１９０に移行する。
【００５２】
ステップＳ１９０において、ＣＰＵ９は、録音を停止し、作成した楽曲開始インデックス及び楽曲終了インデックスを記録再生部４に送り、録音された音声信号に関連付けて楽曲開始インデックス及び楽曲終了インデックスを記録再生部４がＩＣメモリ５に書き込むように、記録再生部４を制御し、その後ステップＳ１１０に戻る。
【００５３】
上記のような録音動作により楽曲開始の検出精度を向上させることができることを、図８を参照して説明する。なお、図８中のＴはステップＳ１６０での所定時間を示している。ノイズが小さく、楽曲の出力が大きい周波数帯域をバンドパスフィルタ部１０が上記の所定帯域として抽出するように、バンドパスフィルタ部１０の特性を設定する。かかる設定により、図８に示すように、バンドパスフィルタ部１０から出力される所定帯域のデジタル音声信号に対応する所定帯域の音声波形ではノイズ部分の振幅が小さくなる。その結果、最初の二つのノイズ部分において、楽曲開始が誤検出されなくなり、楽曲開始の検出精度を向上させることができる。また、楽曲検出モードにおいて録音が行われると、録音された音声信号に関連付けて楽曲開始インデックス及び楽曲終了インデックスが自動的に記録されるので、再生時の楽曲頭出しやデータ編集時の編集作業が容易になる。
【００５４】
＜第４実施形態＞
本発明の第３実施形態に係る録音装置よりも楽曲開始の検出精度が高い本発明の第４実施形態に係る録音装置について説明する。本発明の第４実施形態に係る録音装置のブロック図は、本発明の第３実施形態に係る録音装置のブロック図と同一であり、図１に示すようになる。ただし、本発明の第４実施形態に係る録音装置と本発明の第３実施形態に係る録音装置とでは、楽曲開始終了検出部１２での楽曲開始の検出手法が異なっている。
【００５５】
図９は、楽曲検出モードに設定されている場合の図１に示す本発明の第４実施形態に係る録音装置の録音動作を示すフローチャートである。なお、図９において図７と同一のステップには同一の符号を付し詳細な説明を省略する。
【００５６】
図９のフローチャートは、図７のフローチャートにおいてステップＳ１３０をステップＳ１３５に置換したものである。
【００５７】
ステップＳ１３５において、ＣＰＵ９は楽曲の開始を検出する。具体的には、バンドパスフィルタ部１０が、Ａ／Ｄ変換部３から出力されるデジタル音声信号から所定帯域を抽出し、パワー算出部１１が、バンドパスフィルタ部１０から出力される所定帯域のデジタル音声信号に対応する所定帯域の音声パワーの平均値を算出し、楽曲開始終了検出部１２が、パワー算出部１１によって算出された所定帯域の音声パワーの平均値が所定時間の間予め設定された閾値以上であるか否かを判定し、所定帯域の音声パワーの平均値が所定時間の間閾値以上であれば、その所定時間の開始時点を楽曲の開始位置とする。そして、ステップＳ１４０において、楽曲開始終了検出部１２は、その楽曲の開始位置を示す楽曲開始インデックスを作成する。なお、ステップＳ１３５での閾値とステップＳ１６０での閾値とは同じであっても異なっていてもよいが、本実施形態では同一としている。また、ステップＳ１３５での所定時間とステップＳ１６０での所定時間とは同じであっても異なっていてもよいが、本実施形態ではステップＳ１３５での所定時間をステップＳ１６０での所定時間よりも長くしている。
【００５８】
上記のような録音動作により楽曲開始の検出精度を第３実施形態よりも向上させることができることを、図１０を参照して説明する。なお、図１０中のＴ１はステップＳ１３５での所定時間を示しており、図１０中のＴ２はステップＳ１６０での所定時間を示している。ノイズが小さく、楽曲の出力が大きい周波数帯域をバンドパスフィルタ部１０が上記の所定帯域として抽出するように、バンドパスフィルタ部１０の特性を設定する。かかる設定により、図１０に示すように、バンドパスフィルタ部１０から出力される所定帯域のデジタル音声信号に対応する所定帯域の音声波形ではノイズ部分の振幅が小さくなる。さらに、所定帯域の音声パワーの平均値が所定時間Ｔ１の間閾値以上である場合のみ、楽曲開始を検出する。その結果、最初の二つのノイズ部分のみならず三つ目のノイズ部分においても、楽曲開始が誤検出されなくなり、楽曲開始の検出精度を第３実施形態よりも向上させることができる。
【００５９】
＜その他＞
以上、本発明に係る実施形態について説明したが、本発明の範囲はこれに限定されるものではなく、発明の主旨を逸脱しない範囲で種々の変更を加えて実行することができる。変更のいくつかの例を以下に示す。
【００６０】
本発明の第１〜第４実施形態の録音装置は、マイクロホン１を内蔵する構成であったが、これに代えてあるいはこれに加えて、外部マイクロホン等との接続が可能な外部音声入力端子を備える構成にしてもよい。
【００６１】
また、本発明の第１〜第４実施形態の録音装置は、スピーカ８を内蔵する構成であったが、これに代えてあるいはこれに加えて、外部スピーカ等との接続が可能な外部音声出力端子を備える構成にしてもよい。
【００６２】
また、本発明の第１〜第４実施形態の録音装置は、ＩＣメモリ５を内蔵する構成であったが、これに代えてあるいはこれに加えて、外部メモリ（例えばＳＤカード）が着脱自在に装着されるメモリ装着部を備える構成にしてもよい。また、ＩＣメモリ以外の記録媒体（例えば光ディスク）に音声信号が録音される形態であってもよい。
【００６３】
楽曲において演奏されている楽器の種類によって楽曲の出力が大きい周波数帯域は異なるので、バンドパスフィルタ部１０の特性が一つに固定されていた場合、様々な楽曲に適切に対応できないおそれがある。そこで、図１１に示すＣＰＵの構成例のように、バンドパスフィルタ部１０を通過帯域が可変する可変バンドパスフィルタ１６とし、操作部１３によって設定される楽曲の種類の設定に応じてＣＰＵ９が可変バンドパスフィルタ１６の通過帯域を変更するようにするようにしてもよい。あるいは、図１２に示すＣＰＵの構成例のように、バンドパスフィルタ部１０を複数の通過帯域がそれぞれ異なる複数のバンドパスフィルタ１７−１〜１７−ｎとバンドパスフィルタ１７−１〜１７−ｎを択一的に選択するスイッチ１８とで構成し、操作部１３によって設定される楽曲の種類の設定に応じてＣＰＵ９がスイッチ１８の選択先を変更するようにするようにしてもよい。操作部１３によって設定される楽曲の種類としては、例えば、「トランペット演奏のある楽曲」、「ドラム演奏のある楽曲」、「ギター演奏のある楽曲」、「ピアノ演奏のある楽曲」などが考えられる。
【符号の説明】
【００６４】
１  マイクロホン
２  増幅部
３  Ａ／Ｄ変換部
４  記録再生部（録音部の一例）
５  ＩＣメモリ（記録媒体の一例）
６  Ｄ／Ａ変換部
７  増幅部
８  スピーカ
９  ＣＰＵ
１０  バンドパスフィルタ部（フィルタ部の一例）
１１  パワー算出部
１２  楽曲開始終了検出部（楽曲開始検出部の一例）
１３  操作部
１４  表示部
１５  ＦＩＦＯメモリ
１６  可変バンドパスフィルタ
１７−１〜１７−ｎ  バンドパスフィルタ
１８  スイッチ
【図１】
2011150060.tif 000003
【図２】
2011150060.tif 000004
【図３】
2011150060.tif 000005
【図４】
2011150060.tif 000006
【図５】
2011150060.tif 000007
【図６】
2011150060.tif 000008
【図７】
2011150060.tif 000009
【図８】
2011150060.tif 000010
【図９】
2011150060.tif 000011
【図１０】
2011150060.tif 000012
【図１１】
2011150060.tif 000013
【図１２】
2011150060.tif 000014